(57)【特許請求の範囲】
【請求項１】
肥料ホッパ３１内の肥料を並列して設けた複数の肥料繰出部３２…からそれぞれの肥料移送管３８…を介してそれぞれの施肥部３９…へ肥料を移送して前記施肥部３９…から肥料を吐出することにより圃場の複数の位置に施肥を行う施肥機において、前記肥料移送管３８…へ肥料の移送を促す圧力風を供給する施肥エアチャンバ−３４を複数の前記肥料繰出部３２…の配列に沿うように前記肥料繰出部３２…の一側に設け、該施肥エアチャンバ−３４へ圧力風を供給する送風機３５を設け、前記送風機３５が前記肥料ホッパ３１内の肥料を供給可能な肥料回収部３６へ圧力風を供給することにより肥料を機外へ回収可能に設けると共に、前記肥料回収部３６を前記施肥エアチャンバ−３４の直上で該施肥エアチャンバ−３４と一体構成し、肥料繰出部３２…の繰出部ケ−ス３２ｃ…の前部が肥料回収部３６に支持され、該繰出部ケ−ス３２ｃ…の後部が肥料繰出部支持フレ−ム４３に支持され、送風機３５がエンジン５の後方に設けた吸気口４７から前記肥料繰出部支持フレ−ム４３内の空洞部４３ｂを介して吸気する構成とした施肥機。
【発明の詳細な説明】
【０００１】
【発明の属する技術分野】
この発明は、圃場の複数の位置に施肥を行う施肥機に関するものである。
【０００２】
【従来の技術】
従来、田植機や直播機等の農作業機に備え、田植作業や直播作業と同時に圃場の複数の位置に施肥を行うようにした施肥機がある。この施肥機において、圃場の複数の位置に施肥を行うべく、肥料ホッパ内の肥料を左右に並列して設けた複数の肥料繰出部からそれぞれの肥料移送管を介してそれぞれの施肥部へ肥料を供給して前記施肥部から肥料を吐出するようになっている。そして、前記施肥機において、前記肥料移送管の肥料の移送を促すべく、複数の肥料繰出部の配列に沿うように前記肥料繰出部の前側に設けた施肥エアチャンバ−から前記肥料移送管へ圧力風を供給する構成とし、該施肥エアチャンバ−の一端から該エアチャンバ−へ圧力風を供給する送風機を設けた構成のものがある。
【０００３】
また、この施肥機において、施肥作業終了時等、肥料ホッパ内の肥料を機外へ回収するとき、肥料ホッパ内の肥料を供給可能な肥料回収部へ肥料を供給しながら前記送風機を使用して前記肥料回収部へ圧力風を供給することにより、肥料を機外へ回収するようにしたものがある。そして、この前記肥料回収部は、複数の肥料繰出部の後側に設けられている。
【０００４】
【発明が解決しようとする課題】
上記従来技術の構成においては、上記施肥エアチャンバ−と上記肥料回収部とを互いに上記肥料繰出部の前後に設けた構成としているので、同一の上記送風機から施肥エアチャンバ−と肥料回収部とに圧力風を供給するための圧力風供給経路が前記肥料繰出部に制約され、該圧力風供給経路を長くしたり又は急な屈曲を有する構成を採らざるを得ず、前記圧力風供給経路での風に対する抵抗が大きくなってしまい、施肥エアチャンバ−や肥料回収部へ供給される圧力風の風力が小さくなり、上記肥料移送管の肥料の移送や肥料回収部からの肥料の回収が円滑に行えない恐れがある。
【０００５】
【課題を解決するための手段】
この発明は、上記課題を解決すべく次の技術的手段を講じた。
すなわち、肥料ホッパ３１内の肥料を並列して設けた複数の肥料繰出部３２…からそれぞれの肥料移送管３８…を介してそれぞれの施肥部３９…へ肥料を移送して前記施肥部３９…から肥料を吐出することにより圃場の複数の位置に施肥を行う施肥機において、前記肥料移送管３８…へ肥料の移送を促す圧力風を供給する施肥エアチャンバ−３４を複数の前記肥料繰出部３２…の配列に沿うように前記肥料繰出部３２…の一側に設け、該施肥エアチャンバ−３４へ圧力風を供給する送風機３５を設け、前記送風機３５が前記肥料ホッパ３１内の肥料を供給可能な肥料回収部３６へ圧力風を供給することにより肥料を機外へ回収可能に設けると共に、前記肥料回収部３６を前記施肥エアチャンバ−３４の直上で該施肥エアチャンバ−３４と一体構成し、肥料繰出部３２…の繰出部ケ−ス３２ｃ…の前部が肥料回収部３６に支持され、該繰出部ケ−ス３２ｃ…の後部が肥料繰出部支持フレ−ム４３に支持され、送風機３５がエンジン５の後方に設けた吸気口４７から前記肥料繰出部支持フレ−ム４３内の空洞部４３ｂを介して吸気する構成とした施肥機とした。
【０００６】
【発明の効果】
よって、本発明の施肥機は、上記施肥エアチャンバ−と上記肥料回収部とが複数の上記肥料繰出部の配列に対して同側に設けられているから、同一の送風機から施肥エアチャンバ−及び肥料回収部への圧力風供給経路を屈曲が少なく又は短くすることができ、前記圧力風供給経路での風に対する抵抗が小さくなり、さほど容量の大きい送風機を使用しなくても施肥エアチャンバ−や肥料回収部へ供給される圧力風を所望の風力に保つことができ、上記肥料移送管の肥料の移送や肥料回収部からの肥料の回収を円滑に行える。また、前記施肥エアチャンバ−と肥料回収部とを一体にして近接配置したから、更に前記圧力風供給経路を屈曲が少なくて短くすることができる。
【０００７】
また、繰出部ケ−ス…を肥料回収部と肥料繰出部支持フレ−ムとで支持できる。更に、送風機がエンジンの後方に設けた吸気口から前記肥料繰出部支持フレ−ム内の空洞部を介して吸気する構成としたので、エンジン周辺で温められたエアが送風機ひいては肥料移送管へ供給される。
【０００８】
【発明の実施の形態】
この発明の実施の一形態を図面に基づいて説明する。
図１は、施肥機の一例として乗用型の田植機に粒状の肥料を圃場に散布する施肥装置１が装着された施肥装置付きの乗用型田植機２を示している。この乗用型田植機２は、主として前記施肥装置１と走行車体３と６条植えの苗植付部４とで構成される。
【０００９】
走行車体３の前後左右略中央に駆動源であるエンジン５が備えられ、このエンジン５からの動力により油圧式無断変速装置６、主ミッションケ−ス７を介して前輪８，８及び後輪９，９が駆動されて走行車体３が走行する構成となっている。
また、この走行車体３の後部にリンク機構１０を介して前記苗植付部４が装着され、この苗植付部４は油圧昇降シリンダ１１の伸縮により上下に昇降するように設けられている。また、該苗植付部４は、前記主ミッションケ−ス７内からの動力を伝達する作業伝動軸１２、植付クラッチケ−ス１３を介して植付伝動軸１４により伝動されて作動する構成となっている。尚、苗植付部４の駆動の入切を行う植付クラッチ（図示せず）が前記植付クラッチケ−ス１３内に設けられている。
【００１０】
苗植付部４は、主として苗載置台１６と植付伝動部１７及び６条分の苗植付装置１８…からなり、前記植付伝動軸１４の動力が入力される植付伝動部１７を介して伝動され作動する構成となっている。また、苗植付部４の下部には中央部にセンタ−フロ−ト１９及び両側部にサイドフロ−ト２０，２０が設けられており、圃場面を滑走するようになっている。また、該苗植付装置１８…が作動に伴って、植付伝動部１７からの動力により左右移動する左右移動棒２１により苗載置台１６を該苗載置台の下端部に設けた苗載置台左右移動ガイド２２に沿って左右移動させ、マット状の苗を前記苗載置台左右移動ガイド２２に設ける苗掻き取り口２２ａ…から苗植付装置１８…により一株づつ掻き取る構成となっている。
【００１１】
苗載置台１６には、各条に苗送りベルト２３…が設けられている。各条の前記苗送りベルト２３…は、下側の駆動ロ−ラ２４…と上側の従動ロ−ラ２５…とに巻回されている。苗載置台１６の左右移動終端において、植付伝動部１７の植付伝動ケ−ス１７ａ内から左右に突出した出力軸２６，２６と一体回転する左右の苗送り駆動カム２７，２７が回転することにより該カム２７，２７に当接して左右それぞれの苗送り伝達ア−ム２８，２８が所定角度回転することにより、前記駆動ロ−ラ２５…が所定量回転して苗送りベルト２３…が苗を苗植付装置１８…側に所定量づつ順次移送する構成となっている。
【００１２】
前記施肥装置１は、苗植付部４の前方に設けられている。この施肥装置１は、圃場に散布する粒状肥料を貯留する肥料ホッパ３１と各条毎の肥料繰出部３２…と肥料の搬送を案内する各条毎の案内管３３…と該案内管３３…に圧力風を供給する施肥エアチャンバ−３４と該エアチャンバ−３４に圧力風を供給する送風機３５とを備えて構成される。尚、前記施肥エアチャンバ−３４は前記肥料繰出部３２…の前側で左右方向に長く構成され、該エアチャンバ−３４の左端部に前記送風機３５が取り付けられた構成となっている。尚、前記施肥エアチャンバ−３４は、後述する肥料回収管３６と一体に構成され、側断面が略長方形の形状に構成されている。前記肥料ホッパ３１及び前記肥料繰出部３２…は、走行車体３の操縦席３７の直ぐ後側となる走行車体３の後部に設けられている。該肥料ホッパ３１の下に設けた各条毎の肥料繰出部３２…の繰出ロ−ラ３２ａ…が回転することにより所定量毎に肥料を各条の繰出口３２ｂ…を介して前記案内管３３…に供給される。
【００１３】
前記案内管３３…に供給された粒状肥料は、前記施肥エアチャンバ−３４からの圧力風により該案内管３３…、肥料移送管３８…を介して該肥料移送管３８…終端に設けられた施肥部３９…へ搬送されて圃場に散布される。尚、前記肥料移送管３８…は、フレキシブルなチュ−ブにより構成されている。
【００１４】
前記施肥部３９…は、作溝器４０を備えて構成され、この作溝器４０が前記肥料移送管３８…とブ−ツ４１…により接続され、苗植付部４による各条の圃場の苗植付位置の側部に肥料が供給されるように前記フロ−ト１９，２０，２０に取り付けられている。該作溝器４０…の前側には作溝突起４０ａ…が設けられ、この作溝突起４０ａ…が機体前進に伴って圃場の泥土を横方向及び下方向に押し分けて作溝し、その作溝された溝内に肥料が供給されるようになっている。また、作溝器４０…の溝を覆土する覆土体４２…が作溝器４０…と同様にフロ−ト１９，２０，２０に設けられている。従って、この乗用型田植機２は、圃場に苗を移植するため圃場内を田植機２が走行するのに伴って圃場内へ肥料の散布を行う構成となっている。
【００１５】
前記複数の肥料繰出部３２…の本体となる繰出部ケ−ス３２ｃ…は、前部を左右方向に延びる施肥エアチャンバ−３４の上方の肥料回収管３６に支持され、後部を左右方向に延びる肥料繰出部支持フレ−ム４３に締付ボルト４３ａ…により取り付けられ支持された構成となっている。また、前記肥料ホッパ３１は、前記繰出部ケ−ス３２ｃ…の前後に設けられた固定フック４４…により取り付けられた構成となっている。従って、施肥エアチャンバ−３４、肥料回収管３６、送風機３５、肥料繰出部支持フレ−ム４３、肥料ホッパ３１、肥料繰出部３２…及び案内管３３…は、一体的に構成されている。
【００１６】
前記送風機３５は走行車体３の前部に配置したバッテリ−４５の電源により駆動される構成となっており、この送風機３５の吐出口３５ａと施肥エアチャンバ−３４の左端とが後述するエア切替部４６を介して接続され、前記送風機３５からの圧力風を施肥エアチャンバ−３４ヘ供給可能に構成している。尚、施肥エアチャンバ−３４の右端は、閉鎖されている。
【００１７】
また、エンジン５の後方に送風機３５の吸気口４７を設け、該吸気口４７から肥料繰出部支持フレ−ム４３内の空洞部４３ｂと該フレ−ム４３の左端に取り付けた屈曲管４８とを介して機体の左側にある送風機３５内に吸気されるようになっており、エンジン５周辺で温められたエアが送風機３５ひいては肥料移送管３８…へ供給されるようにしている。
【００１８】
前記肥料繰出部３２…の駆動構成について説明すると、前記植付クラッチケ−ス１３内からの伝動により駆動する上下方向の施肥伝動軸４９の動力によりベベルギヤ等が内蔵された繰出駆動ケ−ス５０を介して施肥駆動軸５１が駆動される。尚、前記施肥伝動軸４９は、該軸４９方向に伸縮可能であると共に両端部がユニバ−サルジョイント４９ａ，４９ａにより屈曲可能に構成されている。前記施肥駆動軸５１から該駆動軸５１と一体回転する各２条毎の駆動ギヤ５２…を設け、各２条毎の該駆動ギヤ５２…とそれぞれ噛み合う各２条毎の従動ギヤ５３…とそれぞれ一体回転するな各２条毎の繰出軸５４…が駆動され、繰出ロ−ラ３２ａ…が駆動回転される構成となっている。尚、前記各２条毎の従動ギヤ５３…は、前記繰出軸５４…に沿って摺動可能に設けられており、肥料繰出部３２…間に設けた各２条毎の植付作業及び施肥作業の入切が行える条クラッチレバ−５５…の下方への回動操作で該レバ−５５…の突出部５５ａ…が前記従動ギヤ５３…の側方から退避して従動ギヤ５３…に対して前記条クラッチレバ−５５…の反対側に設けた圧縮スプリング５６…により条クラッチレバ−５５…側に付勢されて移動し、駆動ギヤ５２…との噛み合いを解除して各２条毎の肥料繰出部３２…への伝動を断つようになっている。逆に、条クラッチレバ−５５…を切位置から上方へ回動操作することにより、該レバ−５５…の突出部５５ａ…が前記従動ギヤ５３…の側面に当接して前記従動ギヤ５３…を前記圧縮スプリング５６…に抗して駆動ギヤ５２…と噛み合う位置まで移動させるようになっている。尚、条クラッチレバ−５５…には各２条毎の苗植付装置連動用ワイヤ５７…及び苗送りベルト連動用ワイヤ５８…がそれぞれ連結され、条クラッチレバ−５５…の操作により各２条毎の施肥作業の入切に連動して苗植付装置１８…及び苗送りベルト２３…の駆動が入切されるようになっている。
【００１９】
次に、肥料繰出部３２の構成について説明する。
肥料繰出部３２の繰出ロ−ラ３２ａの外周面には、回転方向の一定角度毎に繰出溝６１…が設けられており、その繰出溝６１…に肥料ホッパ３１から落下供給される粒状肥料を溜めて該繰出ロ−ラ３２ａを回動することによって繰出口３２ｂヘ肥料が繰り出される構成となっている。尚、繰出ローラ３２ａの上側の外周に接するように左右に流下案内壁６２，６２を設けており、この左右の流下案内壁６２，６２間に案内されて肥料ホッパ３１内の粒状肥料が繰出溝６１…に供給される。肥料繰出部３２における条クラッチレバ−５５の左右反対側には、開度調節歯車６３が設けられている。該開度調節歯車６３は、前記従動ギヤ５３と一体回転する繰出軸５１に嵌合する歯車回動軸６４回りに回転して左右移動する構成となっている。前記開度調節歯車６３は、開度調節軸６５の小歯車６６と噛み合う。開度調節歯車６３に設けられた調節輪６７から突出し前記繰出溝６１…に嵌合する複数の突子６８…が前記開度調節歯車６３の回動によって繰出溝６１…方向に移動可能とすることで繰出溝６１…の有効長さを変更し、施肥の繰出量を調節するようになっている。従って、繰出量調節は、機体右側に設けた開度調節ハンドル６９で前記開度調節軸６５を回動させて各条の前記小歯車６６…を回転させ調節する構成となっている。
【００２０】
また、繰出ロ−ラ３２ａの前側には、該ロ−ラ３２ａ外周面と接触するブラシ７０が設けられており、繰出溝６１…から溢れた肥料を掻き除くように構成される。このブラシ７０は、左右の流下案内壁６２，６２間に該流下案内壁６２，６２の間隔と同幅に設けられ、繰出部ケ−ス３２ｃの外側に設けたブラシ回動レバ−７１の回動操作により左右方向のブラシ回動軸７１ａ回りに繰出部ケ−ス３２ｃに対して前後に回動可能な構成となっている。従って、前記ブラシ回動レバ−７１の操作により、ブラシ７０が繰出ロ−ラ３２ａの外周面から退避可能に設けられている。
【００２１】
また、繰出ロ−ラ３２ａの外周面に繰出軸５４回りに回動可能な肥料供給停止用シャッタ７２を設け、図１０に示すように該シャッタ７２を繰出ロ−ラ３２ａの上方に回動させることにより肥料ホッパ３１内の肥料を該繰出ロ−ラ３２ａの繰出溝６１…に供給せず肥料の繰出を停止することができる。前記肥料供給停止用シャッタ７２は繰出部ケ−ス３２ｃの外側に設けた肥料供給停止用レバ−７３により回動操作され、各条の前記肥料供給停止用レバ−７３により各条毎の施肥作業の入切が行えるようになっている。
【００２２】
また、前記繰出ロ−ラ３２ａの前側には、作業終了後等に肥料ホッパ３１及び肥料繰出部３２…に残存する粒状肥料を取り出し回収するための肥料回収部となる肥料回収管３６と該肥料回収管３６へ肥料を供給するための取出口７４…とを設けている。肥料繰出部３２…の前部には前方へ突出する取出口開閉操作具７５…を設け、該取出口開閉操作具７５…を繰出ロ−ラ３２ａ…側に押し操作することにより該操作具７５…と一体のスライド部材７６…を繰出ロ−ラ３２ａ…の外周面に接触させ、繰出ロ−ラ３２ａ…上方から繰出口３２ｂ…への肥料流路を遮断すると共に繰出ロ−ラ３２ａ…上方から前記取出口７４…への肥料流路を構成するようになっている。従って、前記スライド部材７６…を繰出ロ−ラ３２ａ…の外周面に接触させた状態でブラシ７０…を前方に回動させて繰出ロ−ラ３２ａ…の外周面から退避させることにより、肥料ホッパ３１内及び繰出ロ−ラ３２ａ…上方の粒状肥料が自重により下降して前記取出口７４…を経由して肥料回収管３６に供給される。尚、前記スライド部材７６…の前部は前下がりの傾斜面７６ａ…に構成されると共に前記傾斜面７６ａ…の左右に立上壁７６ｂ…が設けられ、該立上壁７６ｂ…間を前記傾斜面７６ａ…に沿って肥料が流下するようになっている。また、取出口開閉操作具７５…には、通常作業状態、肥料回収状態それぞれのスライド部材７６…の位置決めのための位置決め用溝７５ａ…，７５ｂ…を設けている。
【００２３】
肥料繰出部３２…の繰出部ケース３２ｃ…の前側部分は着脱可能なカバー７７…により構成されており、前記カバー７７…を外すのに伴って前記取出口開閉操作具７５…及び前記スライド部材７６…が一体的に繰出部ケース３２ｃ…から外れるようになっている。そして、前記カバー７７…を外した状態で、前側から繰出ローラ３２ａ…、ブラシ７０…及び肥料流路の清掃等のメンテナンスを行うことができる。尚、前記カバー７７は、上端の係止部７７ａ及び左右両側の取付ピン７８，７８にそれぞれ嵌め込む嵌込部７７ｂ，７７ｂにより装着し固定するようになっている。
【００２４】
前記取出口７４…は、前記肥料回収管３６の上面に形成した四辺形の孔３６ａ…により構成され、該孔３６ａ…の外周を覆う被覆体７９…を備えて構成される。前記被覆体７９は、ゴム製であり、前記孔３６ａの周辺の肥料回収管３６の上壁の上側と下側にそれぞれ位置する縁部８０，８１を備えている。また、肥料回収管３６内に位置する前記被覆体７９の下側には、前記被覆体７９と一体のゴムで構成された肥料流下案内体８２を設けている。前記肥料流下案内体８２は、被覆体７９の下側の縁部８１と該縁部８１の前後端から下方に延びる前後の側壁部８３，８３と前記縁部８１から前記側壁部８３，８３の下端をつなぐように右側に下降するように傾斜して設けた底面部８４とを備え、これらにより肥料回収管３６への肥料の吐出口８５が右側に向かった構成となっている。また、前記側壁部８３，８３の外側は、肥料回収管３６の前後の側壁部に接するようになっている。そして、一体の前記被覆体７９及び肥料流下案内体８２を装着するときは、肥料回収管３６の前後幅より小さい取出口７４を構成する前記孔３６ａに上方からゴム製の肥料流下案内体８２を折り曲げる等して前後幅を縮めて嵌め込むようになっている。尚、前記被覆体７９及び前記肥料流下案内体８２の装着は、繰出部ケース３２ｃの前側部分のカバー７７を外すことにより前側から行えるようになっている。
【００２５】
前記肥料回収管３６は、施肥エアチャンバ−３４の上方に該エアチャンバ−３４と一体構成され、前記施肥エアチャンバ−３４と同様に側断面が略長方形の形状に構成されている。また、肥料回収管３６の左端は送風機３５の吐出口３５ａとエア切替部４６を介して接続され、送風機３５からの圧力風を前記肥料回収管３６に供給可能に構成している。肥料回収管３６の右端には下方に屈曲した屈曲管８６を接続して下向きの肥料回収口８７を設け、該肥料回収口８７から出てくる粒状肥料を袋や容器等で受けて肥料を回収するようになっている。
【００２６】
前記エア切替部４６は、左右方向の筒形状の本体ケ−ス４６ａと前後方向の回動軸回りに回転するエア切替シャッタ８８とを備えて構成されている。前記エア切替シャッタ８８は、前記本体ケ−ス４６ａの前側に設けたエア切替レバ−８９と一体回動するようになっている。前記本体ケ−ス４６ａの後側にはエア切替シャッタ８８と一体回転する引張スプリング掛止部９０を設け、該引張スプリング掛止部９０と本体ケ−ス下部の固定ピン９１との間に引張スプリング９２を設けている。また、施肥エアチャンバ−３４と肥料回収管３６との間の仕切壁９３の左端がエア切替シャッタ８８の回動に拘らず該シャッタ８８の回動軸８８ａ回りに設けたゴム部材９４に接触した構成とすると共にエア切替シャッタ８８の外周が施肥エアチャンバ−３４側あるいは肥料回収管３６側に回動させることにより本体ケ−ス４６ａ内部に設けた肩部４６ｂに当接することで、送風機３５の吐出口３５ａと施肥エアチャンバ−３４側あるいは肥料回収管３６側との連通を閉鎖するようになっている。従って、通常作業時にはエア切替シャッタ８８を肥料回収管３６側に回動させ圧力風を施肥エアチャンバ−３４へ供給するようにし、作業終了時等肥料ホッパ３１内の残留肥料を回収するときにはエア切替シャッタ８８を施肥エアチャンバ−３４側に回動させ圧力風を肥料回収管３６へ供給するようになっている。尚、前記エア切替シャッタ８８の側面にはゴム部材８８ｂを設け、このゴム部材８８ｂが本体ケ−ス４６ａの肩部４６ｂに密着するようになっている。尚、エア切替シャッタ８８の回動軸８８ａ回りにもゴム部材９４を設けているので、このゴム部材９４が施肥エアチャンバ−３４と肥料回収管３６との間の仕切壁９３に密着するようになっている。また、引張スプリング９２はエア切替シャッタ８８の回動により死点越えするようになっており、いずれの側に回動させても前記引張スプリング９２によりエア切替シャッタ８８のゴム部材８８ｂが本体ケ−ス４６ａの肩部に密着する側に付勢され、エア切替シャッタ８８の外周部におけるエア漏れを防止している。
【００２７】
ところで、左から右に圧力風が流れる肥料回収管３６内において、取出口７４…の下方となる肥料流下案内体８２…の肥料の吐出口８５…が右側に向かっているので、前記圧力風が前記吐出口８５…へ吹き込むのを抑えられ、前記圧力風により前記取出口７４…から肥料回収管３６内へ流下する肥料が逆流したり肥料回収管３６内への流下に抵抗が生じるのを抑えている。また、肥料流下案内体８２…の側壁部８３，８３が肥料回収管３６の内壁に接触しているので、前記肥料流下案内体８２部分において圧力風が該案内体８２の下方部分のみを流れ、前記側壁部８３，８３と肥料回収管３６の内壁との間に流れる圧力風が肥料流下案内体８２…の吐出口からの肥料の流下を妨げる等の悪影響を及ぼすことがない。尚、前記肥料流下案内体８２…の底面部８４…が右側に下降するように傾斜しているので、肥料回収管３６内を流れる圧力風が前記吐出口８５…付近で吐出口８５…から離れる側すなわち下方に向かって案内され、圧力風が肥料流下案内体８２…の吐出口８５…からの肥料の流下を妨げることを抑制している。また、前記吐出口８５…が右側に向かうことにより、肥料流下案内体８２…により肥料の流下抵抗を生じて該吐出口８５…から多量の肥料が急激に流下せず肥料を徐々に流下させることができ、肥料回収管３６内に多量の肥料が急激に流下することにより前記肥料回収管３６内で肥料が詰まるのを防止している。尚、下方から見て取出口７４…を肥料流下案内体８２…の底面部８４…により覆うように構成すると、より圧力風が前記吐出口８５…ひいては前記取出口７４…へ吹き込むことを抑制できる。
【００２８】
また、前記肥料流下案内体８２…は、各条の肥料繰出部３２…の取出口７４…部分において形状が異なっており、右側の条のものほど底面部８４…の左右方向の長さが短く且つ傾斜が緩やかに構成されている。但し、右から１条目と２条目の肥料流下案内体８２−１，８２−２は、同形状となっている。これにより、肥料流下案内体８２…の右側の条のものほど肥料回収管３６内の圧力風に与える抵抗が小さくなり、肥料回収口８７により右端部が開放された肥料回収管３６の右側ほど圧力風の風力が小さくなるのに対して、肥料流下案内体８２…からの肥料の流下の妨げにならないように且つ肥料回収管３６内の圧力風の風力が左右にわたって適正に維持されるようになっている。また、肥料流下案内体８２…の右側の条のものほど底面部８４…の下端が高くなり肥料回収管３６内の圧力風の通路が広くなる（圧力風の通過断面が広くなる）ので、左側の条の取出口７４…から肥料が合流していき右側へいくほど肥料の移送量が多くなる肥料回収管３６内で該肥料が詰まらないように構成している。
【００２９】
施肥装置１は、走行車体３の左右の後フレ−ム１０１，１０１の上端を繋ぐように固着した支持プレ−ト１０２に前記肥料繰出部支持フレ−ム４３から取付プレ−ト１０３を介して固着した左右の上下フレ−ム１０４，１０４が載置され、走行車体３に支持されるようになっている。また、走行車体３の後部の左右に設けた左右方向のフレ−ム１０５，１０５からそれぞれ左右方向に延びる施肥装置昇降用リンク１０６，１０６を介して肥料繰出部支持フレ−ム４３に固着した左右それぞれのプレ−ト１０７，１０７に連結されている。従って、作業者が施肥ホッパ３１や施肥エアチャンバ−３４を持ち上げて前記施肥装置昇降用リンク１０６，１０６を回動させることにより、一体的に施肥エアチャンバ−３４、肥料回収管３６、送風機３５、肥料繰出部支持フレ−ム４３、肥料ホッパ３１、肥料繰出部３２…及び案内管３３…で構成される施肥装置１の上下移動部分が走行車体３に対して左右方向へ移動しながら上昇し、これらのメンテナンスを行いやすいようにしている。尚、左右方向の前記施肥装置昇降用リンク１０６，１０６を回動させて上下方向位置から若干死点越えする位置で該リンク１０６，１０６の回動を規制するストッパ（図示せず）を設け、前記施肥装置１の上下移動部分が上昇位置で保持されるようになっている。また、肥料繰出部支持フレ−ム４３に固着した取付プレ−ト１０３に上下動固定レバ−１０８を設け、該レバ−１０８により通常作業時に前記施肥装置１の上下移動部分が機体の振動等により走行車体３に対して上昇しないようにしている。尚、肥料移送管３８…は、この施肥装置１の上下移動部分の上方への移動において取り外す必要のないように、施肥部３９…までの長さが設定されている。また、前記施肥伝動軸４９は、該軸４９方向に伸縮可能であるとと共に該軸４９の両端部がユニバ−サルジョイント４９ａ，４９ａにより屈曲可能となっているので、前記施肥装置昇降用リンク１０６，１０６の回動による施肥装置１の上下移動部分の左右方向へ移動しながらの上昇において取り外す必要がない。
【００３０】
以上により、この施肥装置付きの乗用型田植機２は、肥料ホッパ３１内の肥料を左右に並列して設けた６個の肥料繰出部３２…からそれぞれの肥料移送管３８…を介してそれぞれの施肥部３９…へ肥料を移送して前記施肥部３９…から肥料を吐出することにより圃場に６条分の施肥を行い、前記肥料移送管３８…へ肥料の移送を促す圧力風を供給する施肥エアチャンバ−３４を６個の前記肥料繰出部３２…の配列に沿うように左右方向に前記肥料繰出部３２…の前側に設け、該施肥エアチャンバ−３４へ圧力風を供給する送風機３５が前記肥料ホッパ３１内の肥料を各条の取出口７４…を介して供給可能な肥料回収管３６へ圧力風を供給することにより肥料を肥料回収口８７から機外へ回収可能に設けると共に、前記肥料回収管３６を前記施肥エアチャンバ−３４の直上に設けて前記肥料繰出部３２…に対して前記施肥エアチャンバ−３４と同側である前側に設けている。
【００３１】
よって、この施肥装置付きの乗用型田植機２は、前記施肥エアチャンバ−３４と前記肥料回収管３６とが共に肥料繰出部３２…の前側に設けられているから、送風機３５から施肥エアチャンバ−３４及び肥料回収管３６へのエア切替部４６で構成される圧力風供給経路を屈曲が少なく又は短くすることができ、前記エア切替部４６での風に対する抵抗が小さくなり、さほど容量の大きい送風機３５を使用しなくても施肥エアチャンバ−３４や肥料回収部３６へ供給される圧力風を所望の風力に保つことができ、肥料移送管３８…の肥料の移送や肥料回収管３６からの肥料の回収を円滑に行える。また、前記施肥エアチャンバ−３４と前記肥料回収管３６とを一体にして近接配置したから、更にエア切替部４６で構成される圧力風供給経路を屈曲が少なくて短くすることができる。尚、前記施肥エアチャンバ−３４と前記肥料回収管３６とを肥料繰出部３２…の配列に沿うように左右方向に長く設けているので、施肥エアチャンバ−３４から各条の肥料移送管３８…への案内管３３…で構成される圧力風の供給経路及び各条の取出口７４…から肥料回収管３６への肥料の供給経路を簡単に屈曲が少なくまた短く構成でき、肥料移送管３８…での肥料の移送や肥料回収管３６への肥料の供給が円滑に行える。
【００３２】
また、この施肥装置付きの乗用型田植機２は、肥料繰出部３２…の下側に肥料移送管３８…を配置しているのに対し、肥料回収管３６の下側に施肥エアチャンバ−３４を設けているので、肥料繰出部３２…から肥料回収管３６への肥料流下経路と施肥エアチャンバ−３４から肥料移送管３８…への案内管３３…で構成される圧力風供給経路とが互いに交錯しないで構成できる。また、前記施肥エアチャンバ−３４と前記肥料回収管３６とが互いに上下に設けられているので、これらにより施肥装置１の前後幅が大きくならないようにして機体の前後長の短縮化を図っている。
【００３３】
尚、この発明の実施の形態は６条植えの施肥装置付きの乗用型田植機２について詳述したが、本発明は６条植えのものに限定されるものではない。
【図面の簡単な説明】
【図１】施肥装置付きの乗用型田植機の側面図
【図２】施肥装置付きの乗用型田植機の平面図
【図３】施肥装置を示す背面図
【図４】施肥装置を示す平面図
【図５】肥料繰出部を示す右側面図
【図６】肥料繰出部を示す左側面図
【図７】肥料繰出部を示す側面断面図
【図８】施肥エアチャンバ−の位置で切断した肥料繰出部を示す正面断面図
【図９】繰出軸の位置で切断した肥料繰出部を示す正面断面図
【図１０】肥料供給停止用シャッタにより肥料の繰出を停止した状態の肥料繰出部を示す側面断面図
【図１１】肥料を回収する状態の肥料繰出部を示す側面断面図
【図１２】施肥エアチャンバ−及び肥料回収管を示す背面断面図
【図１３】取出口の被覆体及び肥料流下案内体を示す平面図
【図１４】取出口の被覆体及び肥料流下案内体を示す正面図
【図１５】取出口の被覆体及び肥料流下案内体を示す側面図
【図１６】エア切替部を示す平面図
【図１７】エア切替部を示す背面図
【図１８】エア切替部を示す背面断面図
【図１９】エア切替部を示す側面断面図
【符号の説明】
１…施肥装置、２…施肥装置付きの乗用型田植機（施肥機）、５…エンジン、３１…肥料ホッパ、３２…肥料繰出部、３２ｃ…繰出部ケ−ス、３４…施肥エアチャンバ−、３５…送風機、３６…肥料回収管（肥料回収部）、３８…肥料移送管、３９…施肥部、４３…肥料繰出部支持フレ−ム、４３ｂ…空洞部、４７…吸気口
【図１】
0003629966.tif 000002
【図２】
0003629966.tif 000003
【図３】
0003629966.tif 000004
【図４】
0003629966.tif 000005
【図５】
0003629966.tif 000006
【図６】
0003629966.tif 000007
【図７】
0003629966.tif 000008
【図８】
0003629966.tif 000009
【図９】
0003629966.tif 000010
【図１０】
0003629966.tif 000011
【図１１】
0003629966.tif 000012
【図１２】
0003629966.tif 000013
【図１３】
0003629966.tif 000014
【図１４】
0003629966.tif 000015
【図１５】
0003629966.tif 000016
【図１６】
0003629966.tif 000017
【図１７】
0003629966.tif 000018
【図１８】
0003629966.tif 000019
【図１９】
0003629966.tif 000020